(57)【要約】【課題】  本発明は、モバイル電子機器のインタラクティブアプリケーションの方法、モバイル電子機器のインタラクティブアプリケーションシステムを提供する。【解決手段】  モバイル電子機器インタラクティブアプリケーション方法は、ディスプレイ装置で少なくとも１つの情報をブロードキャストするステップ、モバイル電子機器を用いて、前記少なくとも１つの情報に従って少なくとも１つの信号を生成するステップであって、前記モバイル電子機器は、少なくとも通信機能又は無線ネットワーク機能を有する、ステップ、インタラクティブ装置を用いて、ネットワークを介して前記少なくとも１つの信号を受信し、前記少なくとも１つの信号に従ってインタラクティブ動作を実行するステップ、を有する。モバイル電子機器インタラクティブアプリケーションシステムは、ディスプレイ装置、モバイル電子機器、インタラクティブ装置を有し、インタラクティブ装置は、ブロードキャストモジュール及びインタラクティブモジュールを有する。【選択図】図２
2013085244.tif 000002
【特許請求の範囲】
【請求項１】
ディスプレイ装置で少なくとも１つの情報をブロードキャストするステップ、
モバイル電子機器を用いて、前記少なくとも１つの情報に従って少なくとも１つの信号を生成するステップであって、前記モバイル電子機器は、少なくとも通信機能又は無線ネットワーク機能を有する、ステップ、
インタラクティブ装置を用いて、ネットワークを介して前記少なくとも１つの信号を受信し、前記少なくとも１つの信号に従ってインタラクティブ動作を実行するステップ、
を有するモバイル電子機器インタラクティブアプリケーション方法。
【請求項２】
前記インタラクティブ動作は、チケット予約動作であり、前記ディスプレイ装置で少なくとも１つの情報をブロードキャストするステップは、
現在実行しているインタラクティブプログラムの種類に従って、プログラム情報を生成するステップ、
前記プログラム情報に従ってデータを生成するステップであって、前記データは、少なくとも１つのインタラクティブチケット予約電話番号を有する、ステップ、
前記ディスプレイ装置でプログラム情報及び前記少なくとも１つのインタラクティブチケット予約電話番号を表示するステップ、
を有する、請求項１に記載のモバイル電子機器インタラクティブアプリケーション方法。
【請求項３】
前記ディスプレイ装置で少なくとも１つの情報をブロードキャストするステップは、
インタラクティブチケット予約プログラムをロードするステップ、
前記インタラクティブチケット予約プログラムを用いて、シナリオ識別信号を送信し、現在実行しているインタラクティブプログラムの種類を通知するステップ、
を更に有する、請求項２に記載のモバイル電子機器インタラクティブアプリケーション方法。
【請求項４】
前記モバイル電子機器を用いて、前記少なくとも１つの情報に従って少なくとも１つの信号を生成するステップは、
前記モバイル電子機器を用いて、前記プログラム情報に従って前記少なくとも１つのインタラクティブチケット予約電話番号に電話をかけ、前記少なくとも１つの信号を生成するようにするステップ、
を有する、請求項２に記載のモバイル電子機器インタラクティブアプリケーション方法。
【請求項５】
前記インタラクティブ装置を用いて、ネットワークを介して、前記少なくとも１つの信号を受信し、前記少なくとも１つの信号に従ってインタラクティブ動作を実行するステップは、
前記の受信した少なくとも１つの信号を少なくとも１つのインタラクティブコマンドに変換するステップ、
前記少なくとも１つのインタラクティブコマンドに従って、チケット予約動作を実行し、チケット予約情報を生成するステップ、
前記チケット予約情報に従ってショートメッセージコンテンツを生成するステップ、
前記ショートメッセージコンテンツを前記モバイル電子機器へ前記ネットワークを介して送信するステップ、
を有する、請求項４に記載のモバイル電子機器インタラクティブアプリケーション方法。
【請求項６】
前記インタラクティブ装置を用いて、ネットワークを介して、前記少なくとも１つの信号を受信し、前記少なくとも１つの信号に従ってインタラクティブ動作を実行するステップは、
前記少なくとも１つの信号を受信したときに、前記電話呼に応答するか否かを決定するステップ、
前記電話呼に応答すると決定したとき、前記受信した少なくとも１つの信号を前記少なくとも１つのインタラクティブコマンドに変換するステップ、
を有する、請求項５に記載のモバイル電子機器インタラクティブアプリケーション方法。
【請求項７】
前記ショートメッセージコンテンツを前記モバイル電子機器へ前記ネットワークを介して送信するステップは、
前記ショートメッセージコンテンツをデータベースユニットに格納するステップ、
処理されていないショートメッセージコンテンツがデータベースユニット内にあるか否かを調べるステップ、
処理されていないショートメッセージコンテンツがデータベースユニット内にあるとき、前記処理されていないショートメッセージコンテンツを前記モバイル電子機器へ送信するステップ、
を更に有する、請求項５に記載のモバイル電子機器インタラクティブアプリケーション方法。
【請求項８】
前記インタラクティブ動作は、インタラクティブ賞贈呈動作であり、前記ディスプレイ装置で少なくとも１つの情報をブロードキャストするステップは、
現在実行しているインタラクティブプログラムの種類に従って、前記ディスプレイ装置で、少なくとも１つのインタラクティブ賞贈呈ゲーム及び少なくとも１つのインタラクティブ賞贈呈ゲーム電話番号を表示するステップ、
を有する、請求項１に記載のモバイル電子機器インタラクティブアプリケーション方法。
【請求項９】
前記ディスプレイ装置で少なくとも１つの情報をブロードキャストするステップは、
インタラクティブ賞贈呈ゲームプログラムをロードするステップ、
前記インタラクティブ賞贈呈ゲームプログラムを用いて、シナリオ識別信号を送信し、現在実行しているインタラクティブプログラムの種類を通知するステップ、
を有する、請求項８に記載のモバイル電子機器インタラクティブアプリケーション方法。
【請求項１０】
前記モバイル電子機器を用いて、前記少なくとも１つの情報に従って少なくとも１つの信号を生成するステップは、
前記モバイル電子機器を用いて、前記少なくとも１つのインタラクティブ賞贈呈ゲーム電話番号に電話をかけ、前記少なくとも１つの信号を生成するようにするステップ、
を有する、請求項８に記載のモバイル電子機器インタラクティブアプリケーション方法。
【請求項１１】
前記インタラクティブ装置を用いて、ネットワークを介して、前記少なくとも１つの信号を受信し、前記少なくとも１つの信号に従ってインタラクティブ動作を実行するステップは、
前記受信した少なくとも１つの信号を前記少なくとも１つのインタラクティブコマンドに変換するステップ、
前記少なくとも１つのインタラクティブコマンドに従って前記インタラクティブ賞贈呈ゲームを実行するステップ、
を更に有する、請求項１０に記載のモバイル電子機器インタラクティブアプリケーション方法。
【請求項１２】
前記インタラクティブ装置を用いて、ネットワークを介して、前記少なくとも１つの信号を受信し、前記少なくとも１つの信号に従ってインタラクティブ動作を実行するステップは、
前記少なくとも１つの信号を受信したときに、前記電話呼に応答するか否かを決定するステップ、
前記電話呼に応答すると決定したとき、前記受信した少なくとも１つの信号を前記少なくとも１つのインタラクティブコマンドに変換するステップ、
を有する、請求項１１に記載のモバイル電子機器インタラクティブアプリケーション方法。
【請求項１３】
前記インタラクティブ装置を用いて、ネットワークを介して、前記少なくとも１つの信号を受信し、前記少なくとも１つの信号に従ってインタラクティブ動作を実行するステップは、
前記インタラクティブ賞贈呈ゲームが終了したとき、少なくとも１つの賞贈呈情報を生成するステップ、
前記少なくとも１つの賞贈呈情報に従ってショートメッセージコンテンツを生成するステップ、
前記ショートメッセージコンテンツを前記モバイル電子機器へ前記ネットワークを介して送信するステップ、
を更に有する、請求項１１に記載のモバイル電子機器インタラクティブアプリケーション方法。
【請求項１４】
前記ショートメッセージコンテンツを前記モバイル電子機器へ前記ネットワークを介して送信するステップは、
前記ショートメッセージコンテンツをデータベースユニットに格納するステップ、
処理されていないショートメッセージコンテンツがデータベースユニット内にあるか否かを調べるステップ、
処理されていないショートメッセージコンテンツがデータベースユニット内にあるとき、前記処理されていないショートメッセージコンテンツを前記モバイル電子機器へ送信するステップ、
を更に有する、請求項１３に記載のモバイル電子機器インタラクティブアプリケーション方法。
【請求項１５】
前記インタラクティブ動作は、個人メッセージ動作であり、前記ディスプレイ装置で少なくとも１つの情報をブロードキャストするステップは、
現在実行しているインタラクティブプログラムの種類に従って、前記ディスプレイ装置で、少なくとも１つの個人メッセージ電話番号又は少なくとも１つのメッセージウェブサイト情報を表示するステップ、
を有する、請求項１に記載のモバイル電子機器インタラクティブアプリケーション方法。
【請求項１６】
前記ディスプレイ装置で少なくとも１つの情報をブロードキャストするステップは、
個人メッセージプログラムをロードするステップ、
前記個人メッセージプログラムを用いて、シナリオ識別信号を送信し、現在実行しているインタラクティブプログラムの種類を通知するステップ、
を有する、請求項１５に記載のモバイル電子機器インタラクティブアプリケーション方法。
【請求項１７】
前記モバイル電子機器を用いて、前記少なくとも１つの情報に従って少なくとも１つの信号を生成するステップは、
前記モバイル電子機器を用いて、前記少なくとも１つのメッセージウェブサイト情報に従って、前記少なくとも１つの個人メッセージ電話番号にショートメッセージを送って少なくとも１つのメッセージを作成し、又はインターネットに接続して前記少なくとも１つのメッセージ作成するステップ、
を有する、請求項１５に記載のモバイル電子機器インタラクティブアプリケーション方法。
【請求項１８】
前記インタラクティブ装置を用いて、ネットワークを介して、前記少なくとも１つの信号を受信し、前記少なくとも１つの信号に従ってインタラクティブ動作を実行するステップは、
前記ディスプレイ装置で前記少なくとも１つのメッセージを表示するステップ、
を有する、請求項１７に記載のモバイル電子機器インタラクティブアプリケーション方法。
【請求項１９】
前記インタラクティブ装置を用いて、ネットワークを介して、前記少なくとも１つの信号を受信し、前記少なくとも１つの信号に従ってインタラクティブ動作を実行するステップは、
前記少なくとも１つのメッセージに対してコンテンツ検査動作を実行するステップ、
前記少なくとも１つのメッセージが前記コンテンツ検査動作に合格したとき、前記ディスプレイ装置で、前記少なくとも１つのメッセージを表示するステップを実行するステップ、
を更に有する、請求項１１に記載のモバイル電子機器インタラクティブアプリケーション方法。
【請求項２０】
少なくとも１つの情報をブロードキャストするディスプレイ装置、
前記少なくとも１つの情報に従って少なくとも１つの信号を生成するモバイル電子機器であって、前記モバイル電子機器は、少なくとも通信機能又は無線ネットワーク機能を有する、モバイル電子機器、
前記ディスプレイ装置に結合され、ネットワークを介して前記少なくとも１つの信号を受信し、前記少なくとも１つの信号に従って前記モバイル電子機器とのインタラクティブ動作を実行するインタラクティブ装置、
を有し、
前記インタラクティブ装置は、
前記ディスプレイ装置に結合され、前記ディスプレイ装置を制御するブロードキャストモジュール、
前記ブロードキャストモジュールに結合され、前記ネットワークを介して前記少なくとも１つの信号を受信し、前記少なくとも１つの信号に従って前記モバイル電子機器との前記インタラクティブ動作を実行し、前記ブロードキャストモジュールを制御するインタラクティブモジュール、
を有する、モバイル電子機器インタラクティブアプリケーションシステム。
【請求項２１】
前記インタラクティブ動作は、チケット予約動作であり、前記ディスプレイ装置を制御して少なくとも１つの情報をブロードキャストする前記ブロードキャストモジュールの機能は、
現在実行しているインタラクティブプログラムの種類に従って、プログラム情報を生成するステップ、
前記プログラム情報に従ってデータを生成するステップであって、前記データは、少なくとも１つのインタラクティブチケット予約電話番号を有する、ステップ、
前記ディスプレイ装置でプログラム情報及び前記少なくとも１つのインタラクティブチケット予約電話番号を表示するステップ、
を有する、請求項２０に記載のモバイル電子機器インタラクティブアプリケーションシステム。
【請求項２２】
前記ディスプレイ装置を制御して少なくとも１つの情報をブロードキャストする前記ブロードキャストモジュールの機能は、
インタラクティブチケット予約プログラムをロードするステップ、
前記インタラクティブチケット予約プログラムを用いて、シナリオ識別信号を送信し、現在実行しているインタラクティブプログラムの種類を通知するステップ、
を更に有する、請求項２１に記載のモバイル電子機器インタラクティブアプリケーションシステム。
【請求項２３】
前記少なくとも１つの情報に従って少なくとも１つの信号を生成する前記モバイル電子機器の機能は、
前記モバイル電子機器を用いて、前記プログラム情報に従って前記少なくとも１つのインタラクティブチケット予約電話番号に電話をかけ、前記少なくとも１つの信号を生成するようにするステップ、
を有する、請求項２１に記載のモバイル電子機器インタラクティブアプリケーションシステム。
【請求項２４】
ネットワークを介して、前記少なくとも１つの信号を受信し、前記少なくとも１つの信号に従ってインタラクティブ動作を実行する前記インタラクティブ装置の機能は、
前記の受信した少なくとも１つの信号を少なくとも１つのインタラクティブコマンドに変換するステップ、
前記少なくとも１つのインタラクティブコマンドに従って、チケット予約動作を実行し、チケット予約情報を生成するステップ、
前記チケット予約情報に従ってショートメッセージコンテンツを生成するステップ、
前記ショートメッセージコンテンツを前記モバイル電子機器へ前記ネットワークを介して送信するステップ、
を有する、請求項２３に記載のモバイル電子機器インタラクティブアプリケーションシステム。
【請求項２５】
ネットワークを介して、前記少なくとも１つの信号を受信し、前記少なくとも１つの信号に従ってインタラクティブ動作を実行する前記インタラクティブ装置の機能は、
前記少なくとも１つの信号を受信したときに、前記電話呼に応答するか否かを決定するステップ、
前記電話呼に応答すると決定したとき、前記受信した少なくとも１つの信号を前記少なくとも１つのインタラクティブコマンドに変換するステップ、
を有する、請求項２４に記載のモバイル電子機器インタラクティブアプリケーションシステム。
【請求項２６】
前記ショートメッセージコンテンツを前記モバイル電子機器へ前記ネットワークを介して送信する機能は、
前記ショートメッセージコンテンツをデータベースユニットに格納するステップ、
処理されていないショートメッセージコンテンツがデータベースユニット内にあるか否かを調べるステップ、
処理されていないショートメッセージコンテンツがデータベースユニット内にあるとき、前記処理されていないショートメッセージコンテンツを前記モバイル電子機器へ送信するステップ、
を更に有する、請求項２４に記載のモバイル電子機器インタラクティブアプリケーションシステム。
【請求項２７】
前記インタラクティブ動作は、インタラクティブ賞贈呈動作であり、前記ディスプレイ装置を制御して少なくとも１つの情報をブロードキャストする前記ブロードキャストモジュールの機能は、
現在実行しているインタラクティブプログラムの種類に従って、前記ディスプレイ装置で、少なくとも１つのインタラクティブ賞贈呈ゲーム及び少なくとも１つのインタラクティブ賞贈呈ゲーム電話番号を表示するステップ、
を有する、請求項２０に記載のモバイル電子機器インタラクティブアプリケーションシステム。
【請求項２８】
前記ディスプレイ装置を制御して少なくとも１つの情報をブロードキャストする前記ブロードキャストモジュールの機能は、
インタラクティブ賞贈呈ゲームプログラムをロードするステップ、
前記インタラクティブ賞贈呈ゲームプログラムを用いて、シナリオ識別信号を送信し、現在実行しているインタラクティブプログラムの種類を通知するステップ、
を更に有する、請求項２７に記載のモバイル電子機器インタラクティブアプリケーションシステム。
【請求項２９】
前記少なくとも１つの情報に従って少なくとも１つの信号を生成する前記モバイル電子機器の機能は、
前記モバイル電子機器を用いて、前記少なくとも１つのインタラクティブ賞贈呈ゲーム電話番号に電話をかけ、前記少なくとも１つの信号を生成するようにするステップ、
を有する、請求項２７に記載のモバイル電子機器インタラクティブアプリケーションシステム。
【請求項３０】
ネットワークを介して、前記少なくとも１つの信号を受信し、前記少なくとも１つの信号に従ってインタラクティブ動作を実行する前記インタラクティブ装置の機能は、
前記受信した少なくとも１つの信号を前記少なくとも１つのインタラクティブコマンドに変換するステップ、
前記少なくとも１つのインタラクティブコマンドに従って前記インタラクティブ賞贈呈ゲームを実行するステップ、
を更に有する、請求項２９に記載のモバイル電子機器インタラクティブアプリケーションシステム。
【請求項３１】
ネットワークを介して、前記少なくとも１つの信号を受信し、前記少なくとも１つの信号に従ってインタラクティブ動作を実行する前記インタラクティブ装置の機能は、
前記少なくとも１つの信号を受信したときに、前記電話呼に応答するか否かを決定するステップ、
前記電話呼に応答すると決定したとき、前記受信した少なくとも１つの信号を前記少なくとも１つのインタラクティブコマンドに変換するステップ、
を有する、請求項３０に記載のモバイル電子機器インタラクティブアプリケーションシステム。
【請求項３２】
ネットワークを介して、前記少なくとも１つの信号を受信し、前記少なくとも１つの信号に従ってインタラクティブ動作を実行する前記インタラクティブ装置の機能は、
前記インタラクティブ賞贈呈ゲームが終了したとき、少なくとも１つの賞贈呈情報を生成するステップ、
前記少なくとも１つの賞贈呈情報に従ってショートメッセージコンテンツを生成するステップ、
前記ショートメッセージコンテンツを前記モバイル電子機器へ前記ネットワークを介して送信するステップ、
を更に有する、請求項３０に記載のモバイル電子機器インタラクティブアプリケーションシステム。
【請求項３３】
前記ショートメッセージコンテンツを前記モバイル電子機器へ前記ネットワークを介して送信する機能は、
前記ショートメッセージコンテンツをデータベースユニットに格納するステップ、
処理されていないショートメッセージコンテンツがデータベースユニット内にあるか否かを調べるステップ、
処理されていないショートメッセージコンテンツがデータベースユニット内にあるとき、前記処理されていないショートメッセージコンテンツを前記モバイル電子機器へ送信するステップ、
を更に有する、請求項３２に記載のモバイル電子機器インタラクティブアプリケーションシステム。
【請求項３４】
前記インタラクティブ動作は、個人メッセージ動作であり、前記ディスプレイ装置を制御して少なくとも１つの情報をブロードキャストする前記ブロードキャストモジュールの機能は、
現在実行しているインタラクティブプログラムの種類に従って、前記ディスプレイ装置で、少なくとも１つの個人メッセージ電話番号又は少なくとも１つのメッセージウェブサイト情報を表示するステップ、
を有する、請求項２０に記載のモバイル電子機器インタラクティブアプリケーションシステム。
【請求項３５】
前記ディスプレイ装置を制御して少なくとも１つの情報をブロードキャストする前記ブロードキャストモジュールの機能は、
個人メッセージプログラムをロードするステップ、
前記個人メッセージプログラムを用いて、シナリオ識別信号を送信し、現在実行しているインタラクティブプログラムの種類を通知するステップ、
を更に有する、請求項３４に記載のモバイル電子機器インタラクティブアプリケーションシステム。
【請求項３６】
前記少なくとも１つの情報に従って少なくとも１つの信号を生成する前記モバイル電子機器の機能は、
前記モバイル電子機器を用いて、前記少なくとも１つのメッセージウェブサイト情報に従って、前記少なくとも１つの個人メッセージ電話番号にショートメッセージを送って少なくとも１つのメッセージを作成し、又はインターネットに接続して前記少なくとも１つのメッセージ作成するステップ、
を有する、請求項３４に記載のモバイル電子機器インタラクティブアプリケーションシステム。
【請求項３７】
前記ネットワークを介して、前記少なくとも１つの信号を受信し、前記少なくとも１つの信号に従ってインタラクティブ動作を実行する前記インタラクティブ装置の機能は、
前記ディスプレイ装置で前記少なくとも１つのメッセージを表示するステップ、
を有する、請求項３６に記載のモバイル電子機器インタラクティブアプリケーションシステム。
【請求項３８】
前記ネットワークを介して、前記少なくとも１つの信号を受信し、前記少なくとも１つの信号に従ってインタラクティブ動作を実行する前記インタラクティブ装置の機能は、
前記少なくとも１つのメッセージに対してコンテンツ検査動作を実行するステップ、
前記少なくとも１つのメッセージが前記コンテンツ検査動作に合格したとき、前記ディスプレイ装置で、前記少なくとも１つのメッセージを表示するステップを実行するステップ、
を更に有する、請求項３７に記載のモバイル電子機器インタラクティブアプリケーションシステム。
【発明の詳細な説明】
【技術分野】
【０００１】
本発明は、モバイル電子機器のインタラクティブアプリケーションの方法、モバイル電子機器のインタラクティブアプリケーションシステムに関し、特に、メディア所有者が彼らのメディアの競争力を増大でき、メディアを視聴し使用するよう消費者を魅了でき、インタラクティブプログラムを充実させることによりメディアの宣伝効果を正確に定量化できるモバイル電子機器のインタラクティブアプリケーションの方法、モバイル電子機器のインタラクティブアプリケーションシステムに関し、モバイル電子機器は、少なくとも通信機能又は無線ネットワーク機能を有する。
【背景技術】
【０００２】
通常、従来の屋外大型電子商用掲示板は、（商業広告のような）メディアコンテンツをブロードキャストするだけであり、消費者は従来の屋外大型電子商用掲示板によりブロードキャストされたメディアコンテンツを選択する権利を有さず、単にメディアコンテンツを受動的に受けるだけである。図１を参照する。図１は、従来技術による従来の電子商用掲示板ブロードキャストシステム１００の概略ブロック図を示す。図２に示されるように、従来の電子商用掲示板ブロードキャストシステム１００は、電子商用掲示板１０２、ブロードキャストシステム１０４、ブロードキャストソフトウェア１０６及び商業広告１０８を有する。従来の電子商用掲示板ブロードキャストシステム１００が高い視聴率を有するようにするためには、より多くの人々や車両が通過する場所に従来の電子商用掲示板ブロードキャストシステム１００を設置することが最も重要である。しかしながら、地域において多くの人々や車両が通過する場所は非常に限られているので、非常に限られた数の従来の電子商用掲示板ブロードキャストシステム１００しか設置されていない。
【０００３】
従来の電子商用掲示板ブロードキャストシステム１００の別の欠点は、従来の電子商用掲示板ブロードキャストシステム１００の宣伝効果を定量化することが非常に困難なことである。例えば、従来の電子商用掲示板ブロードキャストシステム１００は、どれだけ多くの消費者が電子商用掲示板１０２で商業広告を見るかを知ることができず、視聴率が正確に計算できない。さらに、従来の電子商用掲示板ブロードキャストシステム１００によりブロードキャストされるコンテンツは、主に商業広告であり、大部分の消費者は従来の電子商用掲示板ブロードキャストシステム１００によりブロードキャストされるコンテンツに関心がないので、従来の電子商用掲示板ブロードキャストシステム１００によりブロードキャストされる商業広告が十分に新しくなく又は興味を引かない場合、大部分の消費者は、その商業広告を見るのを止めてしまう。また、商業広告を見ている消費者がいる場合でも、彼らが見ている時間は非常に短い。言い換えると、従来の電子商用掲示板ブロードキャストシステム１００が大部分の消費者の注意を引くことは非常に困難である。
【発明の概要】
【発明が解決しようとする課題】
【０００４】
したがって、本発明の目的の１つは、メディア所有者に彼らのメディアの競争力を増大させ、メディアを見て使用するよう消費者を魅了し、インタラクティブプログラムの質を高めることによりメディアの宣伝効果を正確に定量化させることができ、上述の問題を解決できる、モバイル電子機器インタラクティブアプリケーション方法及びモバイル電子機器インタラクティブアプリケーションシステムを提供することである。
【課題を解決するための手段】
【０００５】
本発明の一実施形態によると、モバイル電子機器インタラクティブアプリケーション方法が開示される。モバイル電子機器インタラクティブアプリケーション方法は、ディスプレイ装置で少なくとも１つの情報をブロードキャストするステップ、モバイル電子機器を用いて、前記少なくとも１つの情報に従って少なくとも１つの信号を生成するステップであって、前記モバイル電子機器は、少なくとも通信機能又は無線ネットワーク機能を有する、ステップ、インタラクティブ装置を用いて、ネットワークを介して前記少なくとも１つの信号を受信し、前記少なくとも１つの信号に従ってインタラクティブ動作を実行するステップ、を有する。
【０００６】
本発明の一実施形態によると、モバイル電子機器インタラクティブアプリケーションシステムが開示される。モバイル電子機器インタラクティブアプリケーションシステムは、ディスプレイ装置、モバイル電子機器、インタラクティブ装置を有する。ディスプレイ装置は、少なくとも１つの情報をブロードキャストするために用いられる。モバイル電子機器は、少なくとも１つの情報に従って少なくとも１つの信号を生成するために用いられる。モバイル電子機器は、少なくとも、通信機能又は無線ネットワーク機能を有する。インタラクティブ装置は、ディスプレイ装置に結合され、ネットワークを介して少なくとも１つの信号を受信し、該少なくとも１つの信号に従ってモバイル電子機器とのインタラクティブ動作を実行するために用いられ、インタラクティブ装置は、ブロードキャストモジュール及びインタラクティブモジュールを有する。ブロードキャストモジュールはディスプレイ装置に結合され、ディスプレイ装置を制御するために用いられ、インタラクティブモジュールはブロードキャストモジュールに結合され、ネットワークを介して少なくとも１つの信号を受信し、該少なくとも１つの信号に従ってモバイル電子機器とのインタラクティブ動作を実行し、及びブロードキャストモジュールを制御するために用いられる。
【０００７】
要約すると、本発明により開示されたモバイル電子機器インタラクティブアプリケーション方法及びモバイル電子機器インタラクティブアプリケーションシステムは、メディア所有者に彼らのメディアの競争力を増大させ、メディアを見て使用するよう消費者を魅了し、インタラクティブプログラムの質を高めることによりメディアの宣伝効果を正確に定量化させることができ、従来のディスプレイ装置のブロードキャストシステムの問題を解決できる。
【０００８】
本発明のこれらの及び他の目的は、以下の、種々の図面に示された好適な実施形態の詳細な説明を読んだ後に当業者に明らかになるだろう。
【図面の簡単な説明】
【０００９】
【図１】従来技術による従来の電子商用掲示板ブロードキャストシステム１００の概略ブロック図を示す。
【図２】本発明の実施形態によるモバイル電子機器インタラクティブアプリケーションシステムの概略ブロック図を示す。
【図３】本発明の図２のモバイル電子機器インタラクティブアプリケーションシステムの上述の動作による第１の実施形態のモバイル電子機器インタラクティブアプリケーション方法を示すフローチャートである。
【図４Ａ】図３のインタラクティブ動作がチケット予約動作であるときの、本発明の第２の実施形態によるモバイル電子機器インタラクティブアプリケーション方法のフローチャートを示す。
【図４Ｂ】図３のインタラクティブ動作がチケット予約動作であるときの、本発明の第２の実施形態によるモバイル電子機器インタラクティブアプリケーション方法のフローチャートを示す。
【図５Ａ】図３のインタラクティブ動作が賞の贈呈動作であるときの、本発明の第３の実施形態によるモバイル電子機器インタラクティブアプリケーション方法のフローチャートを示す。
【図５Ｂ】図３のインタラクティブ動作が賞の贈呈動作であるときの、本発明の第３の実施形態によるモバイル電子機器インタラクティブアプリケーション方法のフローチャートを示す。
【図６】図３のインタラクティブ動作が個人メッセージ動作であるときの、本発明の第４の実施形態によるモバイル電子機器インタラクティブアプリケーション方法のフローチャートを示す。
【発明を実施するための形態】
【００１０】
特定の用語は、特定のシステムコンポーネントを表すために以下の説明及び請求項を通じて用いられる。当業者が理解するように、製造者等は１つのコンポーネントを異なる名称により参照し得る。本願明細書は、名称が異なるが機能が異ならないコンポーネント間の区別をしない。以下の議論及び請求項では、用語「有する（include、including、comprise、comprising）」は、広義に用いられ、「・・・を含むが、・・・に限定されない」を意味すると解釈されるべきである。用語「結合する（couple）」、「結合された（coupled）」は、間接的又は直接的な電気的接続を意味する。したがって、第１の装置が第２の装置に結合する場合、その接続は、直接的な電気接続を通じて、又は他の装置及び接続を介した間接的な電気的接続を通じてもよい。
【００１１】
図２は、本発明の実施形態によるモバイル電子機器インタラクティブアプリケーションシステム２００の概略ブロック図を示す。図２に示されるように、モバイル電子機器インタラクティブアプリケーションシステム２００は、ディスプレイ装置２０２、モバイル電子機器２０４、インタラクティブ装置３００を有する。ディスプレイ装置２０２は、少なくとも１つの情報をブロードキャストするために用いられ、モバイル電子機器２０４は、該少なくとも１つの情報に従って少なくとも１つの信号を生成するために用いられ、モバイル電子機器２０４は、少なくとも通信機能又は無線ネットワーク機能を有する。例えば、モバイル電子機器２０４は、携帯電話機であり得る。インタラクティブ装置３００は、ディスプレイ装置２０２に結合され、（通信ネットワーク３３４又はインターネットネットワーク３３６のような）ネットワークを介して少なくとも１つの信号を受信し、該少なくとも１つの信号に従ってモバイル電子機器２０４とのインタラクティブ動作を実行するために用いられ、インタラクティブ装置３００は、ブロードキャストモジュール３１０及びインタラクティブモジュール３２０を有する。ブロードキャストモジュール３１０はディスプレイ装置２０２に結合され、ディスプレイ装置２０２を制御するために用いられ、インタラクティブモジュール３２０はブロードキャストモジュール３１０に結合され、ネットワーク（つまり、（携帯電話ネットワークのような）通信ネットワーク３３４又はインターネットネットワーク３３６）を介して少なくとも１つの信号を受信し、該少なくとも１つの信号に従ってモバイル電子機器２０４とのインタラクティブ動作を実行し、及びブロードキャストモジュール３１０を制御するために用いられる。さらに、ブロードキャストモジュール３１０は、インタラクティブ動作コンテンツ３１２、ブロードキャストホストインタラクティブコマンドエージェントプログラム３１４、ブロードキャストプログラム３１６、ＸＭＬ（eXtensible  Markup  Language）ユニット３１８を有し得る。また、インタラクティブモジュール３２０は、インタラクティブ処理管理サービスユニット３２２、通信制御ユニット３２４、メッセージサービスユニット３２６、宣伝管理ユニット３２８、ネットワークサービスユニット３３０及びデータベースユニット３３２を有し得る。インタラクティブ処理管理サービスユニット３２２は、モバイル電子機器２０４により生成された少なくとも１つの信号を処理するために用いられる。通信制御ユニット３２４は、インタラクティブ処理管理サービスユニット３２２に結合され、少なくとも１つの信号を受信するために用いられ、通信制御ユニット３２４は、ＧＳＭ（登録商標）信号制御機能及び一般オーディオ信号制御機能を有する。メッセージサービスユニット３２６は、インタラクティブ処理管理サービスユニット３２２に結合され、少なくとも１つのメッセージ又は少なくとも１つのショートメッセージを処理するために用いられる。宣伝管理ユニット３２８は、メッセージサービスユニット３２６及びインタラクティブ処理管理サービスユニット３２２に結合され、少なくとも１つのコンテンツベンダにより宣伝されるべき少なくとも１つの��ンテンツ情報をメッセージングするために用いられる。ネットワークサービスユニット３３０は、宣伝管理ユニット３２８に結合され、モバイル電子機器２０４による閲覧に適した少なくとも１つのインターネット版操作インタフェースを提供するために用いられる。データベースユニット３３２は、インタラクティブ処理管理サービスユニット３２２、メッセージサービスユニット３２６、宣伝管理ユニット３２８及びネットワークサービスユニット３３０に結合され、インタラクティブ処理管理サービスユニット３２２、メッセージサービスユニット３２６、宣伝管理ユニット３２８及びネットワークサービスユニット３３０により生成されたデータを格納するために用いられる。
【００１２】
本発明のモバイル電子機器インタラクティブアプリケーションシステム２００の目的は、メディアコンテンツベンダ及び消費者にリアルタイムインタラクティブプラットフォームを提供することである。例えば、消費者が屋外大型電子商用掲示板又は屋外大型ディスプレイ装置で広告を見て、広告の内容に興味を持ち、消費したいと望むとき、消費者は、携帯電話機を用いて広告により提供された電話番号に電話をかけるか、携帯電話機を用いモバイルインターネットを使用して広告により提供されたウェブサイトにログインし、消費者により要求されたサービスコンテンツを得ることができる。さらに、留意すべき点は、上述の実施形態は、単に説明を目的とし、本発明を限定しないことである。例えば、屋外大型電子商用掲示板又は屋外大型ディスプレイ装置は、屋内電子商用掲示板又は屋内ディスプレイ装置（例えば、エレベータ及び駅のような公共の場所にある電子商用掲示板又はディスプレイ装置）、又は通常は家庭、会社の会議室及び式場にあるプラズマディスプレイ装置、ＬＣＤディスプレイ装置若しくは種々の電子ディスプレイ装置により置き換えることができる。さらに、消費者は、（ノートブック型コンピュータ、タブレット型コンピュータ及びスマートフォンのような）他の種類のモバイル電子機器を用い、本発明のモバイル電子機器インタラクティブアプリケーションシステム２００とのインタラクティブ動作を実行することができる。
【００１３】
図３を参照する。図３は、本発明の図２のモバイル電子機器インタラクティブアプリケーションシステム２００の上述の動作による第１の実施形態のモバイル電子機器インタラクティブアプリケーション方法を示すフローチャートである。実質的に同一の結果が達成されるならば、処理フローチャートのステップは、図３に示される正確な順序である必要はなく、隣接している必要はなく、つまり他のステップが中間にあってもよい。本発明の第１の実施形態のモバイル電子機器インタラクティブアプリケーション方法は、以下のステップを有する。
ステップ４００：少なくとも１つの情報をディスプレイ装置にブロ―ドキャストする。
ステップ４１０：モバイル電子機器を用いて、少なくとも１つの情報に従って少なくとも１つの信号を生成する。モバイル電子機器は、少なくとも、通信機能又は無線ネットワーク機能を有する。
ステップ４２０：インタラクティブ装置を用いて、ネットワークを介して少なくとも１つの信号を受信し、少なくとも１つの信号に従ってインタラクティブ動作を実行する。
【００１４】
さらに、留意すべき点は、上述の実施形態は、単に説明を目的とし、本発明を限定しないことである。例えば、ステップ４２０の後、本発明の第１の実施形態のモバイル電子機器インタラクティブアプリケーションシステム２００及びモバイル電子機器インタラクティブアプリケーション方法は、（クレジットカード支払機構及び銀行振替決済機構等のような）種々のキャッシュフロー機構と更に結合することができ、一般消費者が本発明により提供されるプラットフォームを介して対応するサービスコンテンツを得るために支払ができるようにできる。種々のキャッシュフロー機構は当業者に全て良く知られているので、詳細事項及び動作の更なる説明は、簡略化ためにここでは省略される。次に、種々の異なるインタラクティブ動作を、本願明細書の以下の段落で説明する。
【００１５】
図４Ａ及び４Ｂを参照する。図４Ａ及び４Ｂは、図３のインタラクティブ動作がチケット予約動作であるときの、本発明の第２の実施形態によるモバイル電子機器インタラクティブアプリケーション方法のフローチャートを示す。実質的に同一の結果が達成されるならば、処理フローチャートのステップは、図４Ａ及び４Ｂに示される正確な順序である必要はなく、隣接している必要はなく、つまり他のステップが中間にあってもよい。本発明の第２の実施形態のモバイル電子機器インタラクティブアプリケーション方法は、以下のステップを有する。
ステップ５００：ブロードキャストプログラムを実行する。
ステップ５０２：インタラクティブチケット予約プログラムをロードする。
ステップ５０４：インタラクティブチケット予約プログラムを用いて、シナリオ識別信号をインタラクティブ処理管理サービスユニットへ送信し、インタラクティブ処理管理サービスユニットに現在実行しているインタラクティブプログラムの種類を通知し、インタラクティブ処理管理サービスユニットに対応するインタラクティブ処理を実行させる。
ステップ５０６：インタラクティブ処理管理サービスユニットを用いて、宣伝管理ユニットに通知し、プログラム情報を生成する。
ステップ５０８：ブロードキャストホストインタラクティブコマンドエージェントプログラムを用い、プログラム情報をダウンロードする。
ステップ５１０：ブロードキャストホストインタラクティブコマンドエージェントプログラムを用い、データを生成する。データは、少なくとも１つのインタラクティブチケット予約電話番号を有する。
ステップ５１２：インタラクティブチケット予約プログラムを用いてデータを読み出す。
ステップ５１４：ブロードキャストプログラムを用いて、プログラム情報及び少なくとも１つのインタラクティブチケット予約電話番号をディスプレイ装置に表示する。
ステップ５１６：モバイル電子機器を用いて、プログラム情報に従って少なくとも１つのインタラクティブチケット予約電話番号に電話をかけ、少なくとも１つの信号を生成するようにする。
ステップ５１８：通信制御ユニットを用いて、少なくとも１つの信号をネットワークを介して受信し、インタラクティブ処理管理サービスユニットに電話呼に応答するか否かを尋ねる。
ステップ５２０：インタラクティブ処理管理サービスユニットを用いて、現在のインタラクティブ処理に従って、通信制御ユニットに応答する。
ステップ５２２：通信制御ユニットが電話呼に応答するとき、通信制御ユニットは、受信した少なくとも１つの信号をインタラクティブ処理管理サービスユニットへ送信する。
ステップ５２４：インタラクティブ処理管理サービスユニットを用い、通信制御ユニットにより受信された少なくとも１つの信号を少なくとも１つのインタラクティブコマンドに変換し、少なくとも１つのインタラクティブコマンドをコマンドキューに格納する。
ステップ５２６：インタラクティブチケット予約プログラムを用いて、インタラクティブ処理管理サービスユニットのコマンドキュー内の少なくとも１つのインタラクティブコマンドを得る。
ステップ５２８：モバイル電子機器を用いて、プログラム情報に従ってチケット動作を実行し、チケット予約情報を生成するようにする。
ステップ５３０：インタラクティブチケット予約プログラムを用いて、チケット予約情報をインタラクティブ処理管理サービスユニットへ送信する。
ステップ５３２：インタラクティブ処理管理サービスユニットを用いて、インタラクティブ処理設定に従って宣伝管理ユニットに通知し、チケット予約情報に従ってショートメッセージコンテンツを生成するようにし、ショートメッセージコンテンツをデータベースユニットに格納する。
ステップ５３４：メッセージサービスユニットを用いてショートメッセージコンテンツを処理し、ショートメッセージコンテンツをモバイル電子機器に送信する。
【００１６】
さらに、メッセージサービスユニットを用いてショートメッセージコンテンツを処理するステップは、処理されていないショートメッセージコンテンツがデータベースユニット内にあるか否かを調べ、メッセージサービスユニットが処理されていないショートメッセージコンテンツがデータベースユニット内にあると決定したとき、メッセージサービスユニットを用いて、処理されていないショートメッセージコンテンツを処理するステップを更に有する。
【００１７】
纏めると、本発明の第２の実施形態のモバイル電子機器インタラクティブアプリケーションシステム２００及びモバイル電子機器インタラクティブアプリケーション方法は、（映画チケット、コンサートチケット及びスポーツゲームチケット等のような）種々のチケットを予約及び購入するのに用いることができる。例えば、消費者が屋外大型電子商用掲示板又は屋外大型ディスプレイ装置に表示されたコンサートの広告フィルムを見たとき、消費者は、携帯電話機を用いて、広告フィルムにより提供された電話番号に電話をかけ、本発明のモバイル電子機器インタラクティブアプリケーションシステムに入ってチケット予約動作を実行するようにできる。チケット予約動作中、消費者は、関連する日付、関連する時間及び座席番号を有する情報を入力できる。次に、消費者がチケット予約動作の完了に成功した後、本発明のモバイル電子機器インタラクティブアプリケーションシステム２００は、（日付、時間、座席番号、価格及びチケット予約コード等のような）チケット情報を有するメッセージを消費者へ送る。そして、消費者は、該メッセージに従って、本発明のモバイル電子機器インタラクティブアプリケーションシステム２００を介して以下のキャッシュフロー機構を用い、チケットを購入できる。さらに、留意すべき点は、上述の実施形態は、単に説明を目的とし、本発明を限定しないことである。例えば、屋外大型電子商用掲示板又は屋外大型ディスプレイ装置は、屋内電子商用掲示板又は屋内ディスプレイ装置（例えば、エレベータ及び駅のような公共の場所にある電子商用掲示板又はディスプレイ装置）、又は通常は家庭、会社の会議室及び式場にあるプラズマディスプレイ装置、ＬＣＤディスプレイ装置若しくは種々の電子ディスプレイ装置により置き換えることができる。さらに、消費者は、（ノートブック型コンピュータ、タブレット型コンピュータ及びスマートフォンのような）他の種類のモバイル電子機器を用い、本発明のモバイル電子機器インタラクティブアプリケーションシステム２００とのチケット予約動作を実行することができる。
【００１８】
図５Ａ及び５Ｂを参照する。図５Ａ及び５Ｂは、図３のインタラクティブ動作が賞の贈呈動作であるときの、本発明の第３の実施形態によるモバイル電子機器インタラクティブアプリケーション方法のフローチャートを示す。実質的に同一の結果が達成されるならば、処理フローチャートのステップは、図５Ａ及び５Ｂに示される正確な順序である必要はなく、隣接している必要はなく、つまり他のステップが中間にあってもよい。本発明の第３の実施形態のモバイル電子機器インタラクティブアプリケーション方法は、以下のステップを有する。
ステップ６００：ブロードキャストプログラムを実行する。
ステップ６０２：インタラクティブ賞贈呈ゲームプログラムをロードする。
ステップ６０４：インタラクティブ賞贈呈ゲームプログラムを用いて、シナリオ識別信号をインタラクティブ処理管理サービスユニットへ送信し、インタラクティブ処理管理サービスユニットに現在実行しているインタラクティブプログラムの種類を通知し、インタラクティブ処理管理サービスユニットに対応するインタラクティブ処理を実行させる。
ステップ６０６：インタラクティブ賞贈呈ゲームプログラムを用いて、少なくとも１つのインタラクティブ賞贈呈ゲーム及び少なくとも１つのインタラクティブ賞贈呈ゲーム電話番号をディスプレイ装置に表示する。
ステップ６０８：モバイル電子機器を用いて、少なくとも１つのインタラクティブ賞贈呈ゲーム電話番号に電話をかけ、少なくとも１つの信号を生成するようにする。
ステップ６１０：通信制御ユニットを用いて、少なくとも１つの信号をネットワークを介して受信し、インタラクティブ処理管理サービスユニットに電話呼に応答するか否かを尋ねる。
ステップ６１２：インタラクティブ処理管理サービスユニットを用いて、現在のインタラクティブ処理に従って、通信制御ユニットに応答する。
ステップ６１４：通信制御ユニットが電話呼に応答するとき、通信制御ユニットは、受信した少なくとも１つの信号をインタラクティブ処理管理サービスユニットへ送信する。
ステップ６１６：インタラクティブ処理管理サービスユニットを用い、通信制御ユニットにより受信された少なくとも１つの信号を少なくとも１つのインタラクティブコマンドに変換し、少なくとも１つのインタラクティブコマンドをコマンドキューに格納する。
ステップ６１８：ブロードキャストホストインタラクティブコマンドエージェントプログラムを用いて、インタラクティブ処理管理サービスユニットから少なくとも１つのインタラクティブコマンドを得る。
ステップ６２０：インタラクティブ賞贈呈ゲームプログラムを用いて、ブロードキャストホストインタラクティブコマンドエージェントプログラムを介して、コマンドキュー内の少なくとも１つのインタラクティブコマンドを得る。
ステップ６２２：インタラクティブ賞贈呈ゲームが完了したとき、インタラクティブ賞贈呈ゲームプログラムを用いて、少なくとも１つの賞贈呈情報をブロードキャストホストインタラクティブコマンドエージェントプログラムに送信する。
ステップ６２４：ブロードキャストホストインタラクティブコマンドエージェントプログラムを用いて、少なくとも１つの賞贈呈情報をインタラクティブ処理管理サービスユニットへ送信する。
ステップ６２６：インタラクティブ処理管理サービスユニットを用いて、インタラクティブ処理設定に従って宣伝管理ユニットに通知し、少なくとも１つの賞贈呈情報に従ってショートメッセージコンテンツを生成するようにし、ショートメッセージコンテンツをデータベースユニットに格納する。
ステップ６２８：メッセージサービスユニットを用いてショートメッセージコンテンツを処理し、ショートメッセージコンテンツをモバイル電子機器に送信する。
ステップ６３０：インタラクティブ処理管理サービスユニットを用いて、電話を切るよう通信制御ユニットに通知する。
ステップ６３２：通信制御ユニットを用い、電話を切る。
【００１９】
さらに、メッセージサービスユニットを用いてショートメッセージコンテンツを処理するステップは、処理されていないショートメッセージコンテンツがデータベースユニット内にあるか否かを調べ、メッセージサービスユニットが処理されていないショートメッセージコンテンツがデータベースユニット内にあると決定したとき、メッセージサービスユニットを用いて、処理されていないショートメッセージコンテンツを処理するステップを更に有する。
【００２０】
纏めると、本発明の第３の実施形態のモバイル電子機器インタラクティブアプリケーションシステム２００及びモバイル電子機器インタラクティブアプリケーション方法は、種々のベンダにより提供される製品宣伝プロジェクトと組み合わせるために用いることができる。例えば、ベンダは、（クーポン又は賞等のような）製品のプレミアムコンテンツをインタラクティブ電子ゲームに置き、消費者に携帯電話機を用いて屋外大型電子商用掲示板又は屋外大型ディスプレイ装置を表示器として用いることによりインタラクティブ電子ゲームをさせ、その間にインタラクティブ電子ゲーム内でベンダにより提供された製品プレミアムコンテンツを得させる。例えば、ベンダにより提供された製品の広告フィルムが屋外大型電子商用掲示板又は屋外大型ディスプレイ装置に表示されているのを消費者が見たとき、消費者は、携帯電話機を用いて、広告フィルムにより提供された電話番号に電話をかけ、本発明のモバイル電子機器インタラクティブアプリケーションシステムに入ってインタラクティブ電子ゲーム動作を実行するようにできる。インタラクティブ電子ゲーム動作中、消費者は、携帯電話機をゲームのジョイスティックとして用い、屋外大型電子商用掲示板又は屋外大型ディスプレイ装置表示器として用い、インタラクティブ電子ゲームを行うことができる。次に、消費者がインタラクティブ電子ゲーム内のミッションの完了に成功した後、本発明のモバイル電子機器インタラクティブアプリケーションシステム２００は、（製品割引価格、クーポン又は賞等のような）製品プレミアムコンテンツ情報を有するメッセージを消費者へ送る。そして、消費者は、該メッセージに従って、本発明のモバイル電子機器インタラクティブアプリケーションシステム２００を介して以下のキャッシュフロー機構を用い、製品プレミアムコンテンツを得ることができ、又は消費者は、メッセージに従って割り当てられた実店舗で製品プレミアムコンテンツを得ることもできる。さらに、留意すべき点は、上述の実施形態は、単に説明を目的とし、本発明を限定しないことである。例えば、屋外大型電子商用掲示板又は屋外大型ディスプレイ装置は、屋内電子商用掲示板又は屋内ディスプレイ装置（例えば、エレベータ及び駅のような公共の場所にある電子商用掲示板又はディスプレイ装置）、又は通常は家庭、会社の会議室及び式場にあるプラズマディスプレイ装置、ＬＣＤディスプレイ装置若しくは種々の電子ディスプレイ装置により置き換えることができる。さらに、消費者は、（ノートブック型コンピュータ、タブレット型コンピュータ及びスマートフォンのような）他の種類のモバイル電子機器を用い、本発明のモバイル電子機器インタラクティブアプリケーションシステムとのインタラクティブ賞贈呈ゲーム動作を実行することができる。
【００２１】
図６を参照する。図６は、図３のインタラクティブ動作が個人メッセージ動作であるときの、本発明の第４の実施形態によるモバイル電子機器インタラクティブアプリケーション方法のフローチャートを示す。実質的に同一の結果が達成されるならば、処理フローチャートのステップは、図６に示される正確な順序である必要はなく、隣接している必要はなく、つまり他のステップが中間にあってもよい。本発明の第４の実施形態のモバイル電子機器インタラクティブアプリケーション方法は、以下のステップを有する。
ステップ７００：ブロードキャストプログラムを実行する。
ステップ７０２：個人メッセージプログラムをロードする。
ステップ７０４：個人メッセージプログラムを用いて、シナリオ識別信号をインタラクティブ処理管理サービスユニットへ送信し、インタラクティブ処理管理サービスユニットに現在実行しているインタラクティブプログラムの種類を通知し、インタラクティブ処理管理サービスユニットに対応するインタラクティブ処理を実行させる。
ステップ７０６：個人メッセージプログラムを用い、少なくとも１つの個人メッセージ電話番号及び少なくとも１つのメッセージウェブサイト情報をディスプレイ装置に表示する。
ステップ７０８：モバイル電子機器を用いて、ショートメッセージを少なくとも１つの個人メッセージ電話番号へ送り、少なくとも１つのメッセージを作成し、又はインターネットに接続して少なくとも１つのメッセージウェブサイト情報に従って少なくとも１つのメッセージを作成する。
ステップ７１０：メッセージサービスユニットを用いて、新しいメッセージが携帯電話機又はウェブサイトから送られたか否かを決定し、自動コンテンツ検査動作を実行する。
ステップ７１２：メッセージサービスユニットが新しいメッセージがあると決定したとき、メッセージサービスユニットを用いてインタラクティブ処理管理サービスユニットに通知する。
ステップ７１４：インタラクティブ処理管理サービスユニットを用いて、ブロードキャストホストインタラクティブコマンドエージェントプログラムに、ダウンロードのための新しいメッセージのデータが存在することを通知し、メッセージサービスユニットに、ブロードキャストホストインタラクティブコマンドエージェントプログラムがダウンロードするために新しいメッセージのデータを準備するよう通知する。
ステップ７１６：ブロードキャストホストインタラクティブコマンドエージェントプログラムを用い、新しいメッセージのデータをダウンロードする。
ステップ７１８：個人メッセージプログラムを用い、ディスプレイ装置に新しいメッセージのデータを表示する。
【００２２】
さらに、メッセージサービスユニットを用いてショートメッセージコンテンツを処理するステップは、処理されていないショートメッセージコンテンツがデータベースユニット内にあるか否かを調べ、メッセージサービスユニットが処理されていないショートメッセージコンテンツがデータベースユニット内にあると決定したとき、メッセージサービスユニットを用いて、処理されていないショートメッセージコンテンツを処理するステップを更に有する。
【００２３】
纏めると、本発明の第４の実施形態のモバイル電子機器インタラクティブアプリケーションシステム２００及びモバイル電子機器インタラクティブアプリケーション方法は、個人メッセージ動作のために用いることができる。例えば、消費者が彼／彼女自身の個人メッセージコンテンツを屋外大型電子商用掲示板又は屋外大型ディスプレイ装置でブロードキャストしたいとき、消費者は、携帯電話機を用いて、屋外大型電子商用掲示板又は屋外大型ディスプレイ装置に表示された個人メッセージ電話番号に電話をかけ、又は携帯電話機を用いて、屋外大型電子商用掲示板又は屋外大型ディスプレイ装置に表示された個人メッセージウェブサイトにインターネットを介して入ることができる。個人メッセージ動作中、消費者は、個人メッセージコンテンツを編集できる。次に、消費者が個人メッセージコンテンツの編集に成功した後、本発明のモバイル電子機器インタラクティブアプリケーションシステム２００は、（ブロードキャストの日付、ブロードキャストの時間、価格及びメッセージコード等のような）個人メッセージコンテンツ情報を有するメッセージを消費者へ送る。そして、消費者は、該メッセージに従って、本発明のモバイル電子機器インタラクティブアプリケーションシステム２００を介して以下のキャッシュフロー機構を用い、金銭を支払うようにし、又は消費者は、該メッセージに従って割り当てられた実店舗で金銭を支払うこともできる。次に、本発明のモバイル電子機器インタラクティブアプリケーションシステム２００は、消費者が金銭を支払ったことを確認し、モバイル電子機器インタラクティブアプリケーションシステム２００は、人為的なコンテンツ検査動作又はシステムによる自動コンテンツ検査動作を個人メッセージコンテンツに対して実行し、パーソナルメッセージコンテンツが違法でないか又は公序良俗に違反しないかを決定するようにする。本発明のモバイル電子機器インタラクティブアプリケーションシステム２００が、パーソナルメッセージコンテンツは違法でなく公序良俗に違反しないことを確認した場合、モバイル電子機器インタラクティブアプリケーションシステム２００は、個人メッセージコンテンツを屋外大型電子商用掲示板又は屋外大型ディスプレイ装置でブロードキャストする。反対に、本発明のモバイル電子機器インタラクティブアプリケーションシステム２００が、パーソナルメッセージコンテンツは違法である又は公序良俗に違反することを確認した場合、モバイル電子機器インタラクティブアプリケーションシステム２００は、消費者により支払われた金銭を消費者に返金する。さらに、留意すべき点は、上述の実施形態は、単に説明を目的とし、本発明を限定しないことである。例えば、消費者が個人メッセージコンテンツの編集の完了に成功した後、特定の実際のアプリケーションでいかなる料金もない場合、上述の金銭を支払うことに関するステップは省略でき、モバイル電子機器インタラクティブアプリケーションシステム２００は、人為的なコンテンツ検査動作又はシステムの自動コンテンツ検査動作を個人メッセージコンテンツに対して直接実行でき、個人メッセージコンテンツが人為的なコンテンツ検査動作又はシステムの自動コンテンツ検査動作に合格した後に、個人メッセージコンテンツをディスプレイ装置でブロ―ドキャストできる。さらに、屋外大型電子商用掲示板又は屋外大型ディスプレイ装置は、屋内電子商用掲示板又は屋内ディスプレイ装置（例えば、エレベータ及び駅のような公共の場所にある電子商用掲示板又はディスプレイ装置）、又は通常は家庭、会社の会議室及び式場にあるプラズマディスプレイ装置、ＬＣＤディスプレイ装置若しくは種々の電子ディスプレイ装置により置き換えることができる。さらに、消費者は、（ノートブック型コンピュータ、タブレット型コンピュータ及びスマートフォンのような）他の種類のモバイル電子機器を用い、本発明のモバイル電子機器インタラクティブアプリケーションシステム２００との個人メッセージ動作を実行することができる。
【００２４】
要約すると、本発明により開示されたモバイル電子機器インタラクティブアプリケーション方法及びモバイル電子機器インタラクティブアプリケーションシステムは、メディア所有者に彼らのメディアの競争力を増大させ、メディアを見て使用するよう消費者を魅了し、インタラクティブプログラムの質を高めることによりメディアの宣伝効果を正確に定量化させることができ、従来のディスプレイ装置のブロードキャストシステムの問題を解決できる。
【００２５】
当業者は、本発明の教示を守りつつ、装置及び方法の多くの変更及び代替に直ちに気付くだろう。したがって、上述の開示は、添付の請求の範囲の境界によってのみ限定されると考えられるべきである。
【符号の説明】
【００２６】
１０２  電子商用掲示板
１０４  ブロードキャストシステム
１０６  ブロードキャストソフトウェア
１０８  商業広告
２０２  ディスプレイ装置
２０４  モバイル電子機器
３００  インタラクティブ装置
３１２  インタラクティブ動作コンテンツ
３１４  ブロードキャストホストインタラクティブコマンドエージェントプログラム
３１６  ブロードキャストプログラム
３１８  ＸＭＬユニット
３２０  インタラクティブモジュール
３２２  インタラクティブ処理管理サービスユニット
３２４  通信制御ユニット
３２６  メッセージサービスユニット
３２８  宣伝管理ユニット
３３０  ネットワークサービスユニット
３３２  データベースユニット
３３４  通信ネットワーク
３３６  インターネットネットワーク
【図１】
2013085244.tif 000003
【図２】
2013085244.tif 000004
【図３】
2013085244.tif 000005
【図４Ａ】
2013085244.tif 000006
【図４Ｂ】
2013085244.tif 000007
【図５Ａ】
2013085244.tif 000008
【図５Ｂ】
2013085244.tif 000009
【図６】
2013085244.tif 000010